(57)【要約】  【課題】簡単な操作で着脱が可能で、接続状態で長期間保持しても、接続ポートのセプタムの気密不良が発生し難いロックコネクタ装置を提供する。  【解決手段】ロックコネクタ１０は、管状の先端部１ｂを有する管体部１、および管体部側面に沿って延在し先端に係止爪７が形成された一対のロックレバー６を有する。接続ポート１１は、管状のポート本体、ポート本体の内腔先端を封口する隔壁部材、およびポート本体の周面に設けられた第１および第２段差部１７ａ、１７ｂを有する。ロックコネクタの先端部がポート本体先端と対向し、係止爪が第１段差部に係合した第１の接続状態では、ロックコネクタの管体部の先端部が隔壁部材に進入しないか、または浅く進入した連結が保持され、係止爪が第２段差部に係合した第２の接続状態では、ロックコネクタの先端部が隔壁部材に十分な大きさの開口を形成した状態で連結が保持される。【選択図】図８Ａ
2006141714.tif 000002
【特許請求の範囲】
【請求項１】
先端部が管状で基端部が輸液管と接続可能な管体部、および前記管体部の両側部に結合して前記管体部の軸方向に沿って延在しその先端に内方に突出する係止爪が形成された一対のロックレバーを有するロックコネクタと、
前記ロックコネクタの先端部を挿入可能な管状のポート本体、および前記ポート本体の周面に設けられ前記ロックレバーの係止爪が係合可能な段差部を有し、前記ポート本体の基端側が連通対象と結合可能な接続ポートとを備え、
前記ロックコネクタの先端部を前記接続ポートのポート本体の内腔に挿入し、前記係止爪と前記段差部を係合させることにより、前記接続ポートと前記ロックコネクタが液体流路を連通させて連結される流路連通用ロックコネクタ装置において、
前記接続ポートは、前記ポート本体の先端部に設けられ前記ポート本体の内腔を封口する可撓性を有する隔壁部材を有し、前記段差部は前記ポート本体の先端側に位置する第１段差部と基端側に位置する第２段差部とを含み、
前記ロックコネクタの管体部の先端を前記ポート本体の先端と対向させて、前記ロックレバーの係止爪を前記第１段差部に係合させた第１の接続状態と、前記ロックレバーの係止爪を前記第２段差部に係合させた第２の接続状態とを取ることが可能であり、
前記第２の接続状態では、前記ロックコネクタの管体部の先端部が前記隔壁部材に進入して輸液流路として十分な大きさの開口を形成する位置で前記接続ポートに対する前記ロックコネクタの連結が保持され、
前記第１の接続状態では、前記ロックコネクタの管体部の先端部が前記隔壁部材に進入しないか、または前記第２の接続状態に比べて浅く進入した位置で前記接続ポートに対する前記ロックコネクタの連結が保持されることを特徴とする流路連通用ロックコネクタ装置。
【請求項２】
前記第１の接続状態において、前記ロックコネクタの管体部の先端部が前記隔壁部材に当接している請求項１に記載の流路連通用ロックコネクタ装置。
【請求項３】
前記ロックコネクタは、前記管体部の側部に結合した一対の支持片を有し、前記ロックレバーは中央部が前記支持片により支持されて前記管体部の軸方向に沿って延在して、その支持部位より先端側が前記係止爪を有する係止片を形成し、前記支持部位より後端側が操作片を形成し、
前記操作片に対して、前記管体部に接近する向きの押圧力を加えて前記支持片を弾性変形させることにより、前記一対のロックレバーの前記係止爪はその相互の間隔が広がり、前記第１段差部または前記第２段差部に対する前記係止爪の係合が解除される請求項１に記載の流路連通用ロックコネクタ装置。
【請求項４】
前記接続ポートは、前記第２段差部よりも基端側に位置規制段差部を有し、前記ロックレバーの係止爪を前記第１段差部に係合させた状態で、前記ロックコネクタの外縁部先端と前記位置規制段差部の間に位置規制片を介在させることにより、前記第２の接続状態になることが阻止される請求項１〜３のいずれか１項に記載の流路連通用ロックコネクタ装置。
【請求項５】
前記位置規制片が、リングの一部を切り欠いたリング状ストッパーにより構成された請求項４に記載の流路連通用ロックコネクタ装置。
【請求項６】
前記ロックコネクタは、前記管体部の側部に保持され前記管体部の先端部を包囲するとともにその側壁に一対の切り欠き部が形成されたフードを更に有し、前記係止片における前記係止爪の近傍部分が前記フードの前記切り欠き部内に配置され、
前記ロックコネクタの先端部を前記接続ポートのポート本体の内腔に挿入するときに、前記ポート本体の先端部を前記フード内に収容可能である請求項１〜５のいずれか１項に記載の流路連通用ロックコネクタ装置。
【請求項７】
前記フードの側壁に形成された切り欠き部は先端側が閉じており、前記ロックレバーの前記係止片の先端は、前記フードの先端部により包囲されている請求項６に記載の流路連通用ロックコネクタ装置。
【請求項８】
前記接続ポートは、前記第２段差部よりも基端側に位置規制段差部を有し、前記ロックレバーの係止爪を前記第１段差部に係合させた状態で、前記ロックコネクタの前記フードの先端と前記位置規制段差部の間に位置規制片を介在させることにより、前記第２の接続状態になることが阻止される請求項７に記載の流路連通用ロックコネクタ装置。
【請求項９】
前記隔壁部材はスリットを有し、前記第２の接続状態にする際に、前記ロックコネクタの前記管体部の先端部は前記スリットを通って前記隔壁部材に進入する請求項１〜８のいずれか１項に記載の流路連通用ロックコネクタ装置。
【請求項１０】
前記第１の接続状態において、前記ロックコネクタの管体部の先端部が前記隔壁部材に当接し、その押圧力により前記スリットが少なくとも一部開口する請求項９に記載の流路連通用ロックコネクタ装置。
【発明の詳細な説明】
【技術分野】
【０００１】
本発明は、液体流路を接続するために用いられるコネクタ装置、特に、輸液療法に使用される輸液バッグ等の医療用容器に取付けて使用される接続ポートとロックコネクタの連結により、液体流路を接続してその状態を保持するための流路連通用ロックコネクタ装置に関する。
【背景技術】
【０００２】
輸液療法において使用される輸液バッグのような医療用容器の接続ポートには栓体が設けられ、容器内の液体を取り出すためには、栓体を介して輸液管を医療用容器に接続しなければならない。そのような接続には従来、輸液管の先端に瓶針を設け、その瓶針を栓体に穿刺することにより、医療用容器と輸液管とを連通させるコネクタ構造が用いられている。また実際の使用に際しては、両者の間に互いに引き離す力が加わる場合があるため、輸液中に接続が外れないように、瓶針を容器に対して一時的に固定し、接続状態を保持する機構（ロック機構）が用いられている。
【０００３】
また特許文献１には、互いに着脱自在に構成した第１および第２コネクタ部材からなるコネクタ装置が記載されている。輸液管の先端に第１コネクタ部材を接続し、医療用容器の接続ポートとして第２コネクタ部材を結合させて用いる。第１コネクタ部材は、先端部および基端部が筒状で基端部が輸液管と接続可能である。第２コネクタ部材（接続ポート）は、第１コネクタ部材の先端部を挿入可能な筒状部を有し、その筒状部の後端部が医療用容器に結合される。第１コネクタ部材は、その側部に取り付けられて軸方向に沿って延在し、先端に内方に突出する係止爪が形成された係合部を有する。第２コネクタ部材は、その筒状部の周面に、第１コネクタ部材の係止爪と係合する係止溝を有する。第１コネクタ部材の先端部を、第２コネクタ部材の筒状部に挿入することにより液体流路が連通し、併せて、係止爪と係止溝が係合することにより、第１コネクタ部材と第２コネクタ部材の接続がロックされる。
【特許文献１】特開平８−２４３１７１号公報
【発明の開示】
【発明が解決しようとする課題】
【０００４】
特許文献１に記載のコネクタ装置においては、第１コネクタ部材と第２コネクタ部材（接続ポート）の接続を解除した状態では、接続ポートである第２コネクタ部材は開口しているので、医療用容器の内部が容器外部に曝露された状態になる。従って、コネクタ装置による接続を解除する際には、まず、接続ポートと医療用容器の間の管路を閉鎖するためのクランプ（クレンメ）を操作し、その後接続を解除する手順をとる必要がある。また、第２コネクタ部材の先端の汚染を防止するために、先端部に保護キャップが装着される。従って、コネクタ装置を接続する際には、第２コネクタ部材から保護キャップを外した後、第１コネクタ部材と接続する操作を行い、その後、ストッパーを除去しなければならない。このように、従来のコネクタ装置は、着脱に手間がかかるものであった。
【０００５】
これに対して、本発明者らは、接続ポートにスリットを有するセプタムを設け、その接続ポートと接続するロックコネクタには、接続時にセプタムを貫通して流路を連通させる管状部材を設けるとともに、連結状態を保持するための係止機構を設けた構造を着想した。それにより、コネクタ装置の接続を切り離した状態では、スリットが閉じてセプタムにより流路が封口され、接続する際には、スリットを通して容易に流路が連通する機能を得ることができる。したがって、コネクタ装置の着脱に際して、保護キャップの着脱およびストッパーの着脱操作を必要とせず、接続操作を簡単に行うことが可能となる。
【０００６】
一方、例えば医療用容器として輸液バッグを用いる場合、その接続ポートに輸液チューブ付のロックコネクタを予め接続した状態で保管する用途がある。つまり、接続箇所の間違いを防止するため、コネクタ装置を接続した状態で使用に供し、所定の操作を行った後に接続を解除するような使用形態での使用である。その場合、セプタム付の接続ポートを用いたコネクタ装置では、ロックコネクタの管状部がセプタムに挿通された状態で保管される。それにより、セプタムの永久歪が発生し、接続を解除した際、スリットが復元せずに気密不良が発生する場合がある。
【０００７】
従って本発明は、セプタム付の接続ポートとロックコネクタの接続状態を保持するロック機構を備え、しかも接続状態で保管した場合でも、セプタムの永久歪に起因する気密不良の発生を回避することが可能な流路連通用ロックコネクタ装置を提供することを目的とする。
【課題を解決するための手段】
【０００８】
本発明のロックコネクタは、先端部が管状で基端部が輸液管と接続可能な管体部、および前記管体部の両側部に結合して前記管体部の軸方向に沿って延在しその先端に内方に突出する係止爪が形成された一対のロックレバーを有するロックコネクタと、前記ロックコネクタの先端部を挿入可能な管状のポート本体、および前記ポート本体の周面に設けられ前記ロックレバーの係止爪が係合可能な段差部を有し、前記ポート本体の基端側が連通対象と結合可能な接続ポートとを備え、前記ロックコネクタの先端部を前記接続ポートのポート本体の内腔に挿入し、前記係止爪と前記段差部を係合させることにより、前記接続ポートと前記ロックコネクタが液体流路を連通させて連結される。
【０００９】
上記課題を解決するために、前記接続ポートは、前記ポート本体の先端部に設けられ前記ポート本体の内腔を封口する可撓性を有する隔壁部材を有し、前記段差部は前記ポート本体の先端側に位置する第１段差部と基端側に位置する第２段差部とを含み、前記ロックコネクタの管体部の先端を前記ポート本体の先端と対向させて、前記ロックレバーの係止爪を前記第１段差部に係合させた第１の接続状態と、前記ロックレバーの係止爪を前記第２段差部に係合させた第２の接続状態とを取ることが可能である。前記第２の接続状態では、前記ロックコネクタの管体部の先端部が前記隔壁部材に進入して輸液流路として十分な大きさの開口を形成する位置で前記接続ポートに対する前記ロックコネクタの連結が保持され、前記第１の接続状態では、前記ロックコネクタの管体部の先端部が前記隔壁部材に進入しないか、または前記第２の接続状態に比べて浅く進入した位置で前記接続ポートに対する前記ロックコネクタの連結が保持される。
【発明の効果】
【００１０】
この構成によれば、接続ポートが隔壁部材を有することにより、コネクタ装置の着脱に際して、保護キャップの着脱およびクランプの着脱の操作無しに、接続操作を簡単に行うことができる。しかも接続形態が２段階に構成されており、第１段差部と係止爪の係合位置での第１の接続状態であれば、保管中に隔壁部材の永久歪が発生することを回避することが可能である。
【発明を実施するための最良の形態】
【００１１】
上記構成を有する本発明の流路連通用ロックコネクタ装置において、前記第１の接続状態では、前記ロックコネクタの管体部の先端部が前記隔壁部材に当接していてもよい。
【００１２】
好ましくは、前記ロックコネクタは、前記管体部の側部に結合した一対の支持片を有し、前記ロックレバーは中央部が前記支持片により支持されて前記管体部の軸方向に沿って延在して、その支持部位より先端側が前記係止爪を有する係止片を形成し、前記支持部位より後端側が操作片を形成し、前記操作片に対して、前記管体部に接近する向きの押圧力を加えて前記支持片を弾性変形させることにより、前記一対のロックレバーの前記係止爪はその相互の間隔が広がり、前記第１段差部または前記第２段差部に対する前記係止爪の係合が解除される。
【００１３】
また好ましくは、前記接続ポートは、前記第２段差部よりも基端側に位置規制段差部を有し、前記ロックレバーの係止爪を前記第１段差部に係合させた状態で、前記ロックコネクタの外縁部先端と前記位置規制段差部の間に位置規制片を介在させることにより、前記第２の接続状態になることが阻止される。
【００１４】
前記位置規制片は、リングの一部を切り欠いたリング状ストッパーにより構成することができる。
【００１５】
また本発明の流路連通用ロックコネクタ装置において、好ましくは、前記ロックコネクタは、前記管体部の側部に保持され前記管体部の先端部を包囲するとともにその側壁に一対の切り欠き部が形成されたフードを更に有し、前記係止片における前記係止爪の近傍部分が前記フードの前記切り欠き部内に配置され、前記ロックコネクタの先端部を前記接続ポートのポート本体の内腔に挿入するときに、前記ポート本体の先端部を前記フード内に収容可能である。
【００１６】
また、好ましくは、前記フードの側壁に形成された切り欠き部は先端側が閉じており、前記ロックレバーの前記係止片の先端は、前記フードの先端部により包囲されている。
【００１７】
この構成において好ましくは、前記接続ポートは、前記第２段差部よりも基端側に位置規制段差部を有し、前記ロックレバーの係止爪を前記第１段差部に係合させた状態で、前記ロックコネクタの前記フードの先端と前記位置規制段差部の間に位置規制片を介在させることにより、前記第２の接続状態になることが阻止される。
【００１８】
また、好ましくは、前記隔壁部材はスリットを有し、前記第２の接続状態にする際に、前記ロックコネクタの前記管体部の先端部は前記スリットを通って前記隔壁部材に進入する。
【００１９】
また、好ましくは、前記第１の接続状態において、前記ロックコネクタの管体部の先端部が前記隔壁部材に当接し、その押圧力により前記スリットが少なくとも一部開口する構成とすることができる。
【００２０】
以上の記載から明らかなようなように、第２の接続状態は、ロックコネクタの管体部の先端部により、隔壁部材に輸液流路として十分な大きさの開口が形成されて、通常の輸液に使用可能な状態である。これに対して、第１の接続状態は、ロックコネクタの管体部の先端部が隔壁部材に進入しないか、または第２の接続状態に比べて浅く進入した状態であり、通常の輸液に使用可能な状態ではない。従って、隔壁部材の変形量が小さい。そのような状態であれば、長期間保持されても隔壁部材の永久歪が発生することを回避することが可能である。従って、第１の接続状態では、ロックコネクタの管体部の先端部が隔壁部材に当接している状態、あるいはその当接による押圧力により隔壁部材のスリットが若干開口している状態とすることも可能である。
【００２１】
本発明の実施の形態における流路連通用ロックコネクタ装置の構成について、図面を参照して更に具体的に説明する。本実施の形態におけるロックコネクタ装置は、図１〜図４に示すロックコネクタ１０と、図５および図６に示す接続ポートの組み合わせにより構成される。
【００２２】
まず、図１〜図４を参照して、ロックコネクタ１０の構造について説明する。図１の側面図に示されるように、このロックコネクタ１０は、中心に管体部１を有する。図１には、管体部１における基端部１ａのみが示されているが、図２に示す断面図から判るように、管体部１は更に先端部１ｂを有する。基端部１ａには、使用に際して輸液管（図示せず）が接続可能である。先端部１ｂは、医療用容器などの接続ポートに設けられたセプタム（隔壁部材）を貫通して、接続ポートの内腔に挿入される。
【００２３】
管体部１の先端部１ｂを包囲するように、略円筒状のフード２が配置されている。フード２は、その基端側において、管体部１の軸方向中央部と結合している。フード２と管体部１の結合部３は、図３の平面図あるいは、図４の正面図に示される。フード２は、図３に明瞭に示されるように、その円筒側壁に切り欠き部２ａが形成されている。なお、図２は、図３におけるＡ−Ａ断面を示したものである。
【００２４】
図２及び図４に示されるように、管体部１の中央部には、フード２に加えて支持片４ａ、４ｂ、５ａ、５ｂが形成され、各々管体部１の軸に直交する方向に延在している。なお図４においては見易さを考慮して、支持片４ａ、４ｂ、５ａ、５ｂにハッチングを施した。６はロックレバーである。ロックレバー６は、図２に明瞭に示されるように、管体部１の側部に一対配置され、それぞれ管体部１の軸方向に沿って延在する。ロックレバー６は、その中央部が支持片４ａ、４ｂ、５ａ、５ｂの先端と結合し、それにより管体部１に対する所定位置に支持されている。支持片４ａ、４ｂが一組で一方のロックレバー６を支持し、支持片５ａ、５ｂが一組で他方のロックレバー６を支持している。従って、実質的には一対の支持片が、各ロックレバー６に対応して設けられていることになる。
【００２５】
ロックレバー６は、支持片４ａ、４ｂ、５ａ、５ｂとの結合部分から見た先端側が係止片６ａを、基端側が操作片６ｂを構成している。係止片６ａは、その先端に内方に突出する係止爪７を有する。係止片６ａは、フード２の切り欠き部２ａ内に配置され、図３及び図４に示されるように、その外表面がフード２の外表面と略面一になっている。また、切り欠き部２ａは先端側が閉じているので、ロックレバー６の係止片６ａの先端は、平面的にはフード２により包囲され、使用時に接触を受けるおそれが軽減されている。
【００２６】
ロックレバー６における操作片６ｂに対して、管体部１に接近する向きの押圧力、すなわち、図１あるいは図２に示される一対のロックレバー６の操作片６ｂを挟みこむように力を加えることにより、支持片４ａ、４ｂ、５ａ、５ｂが可撓的に変形する。それにより、ロックレバー６は、支持片４ａ、４ｂ、５ａ、５ｂとの結合部近傍を中心として回動し、一対の係止爪７相互の間隔が拡大する。
【００２７】
図２及び図４に示されるように、管体部１とフード２との結合部近傍には、位置決め部８が設けられている。位置決め部８は、フード２内の管体部１の周囲に十字形状に配置され、接続対象である接続ポートにおける、管体部１が挿入されるべき部位周辺の部材がフード内２に進入した時に、接続ポートの先端に当接して位置決めする機能を有する。それにより、管体部１の挿入状態がぐらつくことを抑制し、安定した接続状態を得ることができる。
【００２８】
また図１及び図３に示されるように、フード２の基端側には円筒面を一部平坦に変形させた把持部２ｂが形成されている。この把持部２ｂは、コネクタの接続操作を行う際に、この部分を把持して操作することにより、操作の容易性を高めるためのものである。
【００２９】
以上の各要素は、一体化された一部材として構成されることが好ましい。その材質には、管体部１にセプタムを貫通させるために必要な程度の硬度と、接続・離脱操作に必要な弾性（可撓性）を有することが要求される。例えば、ポリカーボネート、ポリプロピレン等が好適である。
【００３０】
次に、図５〜図７を参照して、上記ロックコネクタ１０が接続される対象である接続ポート１１の構造について説明する。図５は接続ポート１１の側面図、図６は断面図、図７は正面図を示す。接続ポート１１は、管状のポート本体１２、可撓性を有する材質の隔壁部材であるセプタム１３、およびポートキャップ１４からなる。
【００３１】
ポート本体１２の先端側の内腔は、ロックコネクタ１０の先端部１ｂを挿入可能な喉部を形成しており、喉部の先端には、セプタム１３を介在させてポートキャップ１４が装着されている。セプタム１３は、ポート本体１２の先端部を封口し、ポート本体１２の先端とポートキャップ１４先端の端縁凸部１５の内面により保持されている。セプタム１３の保持を確実にするために、ポート本体１２の先端に突起１２ａが形成され、ポートキャップ１４の端縁凸部１５の内面にも突起１５ａが形成され、突起１２ａと突起１５ａとでセプタム１３を挟持している。
【００３２】
図７に示すように、セプタム１３は、ポートキャップ１４先端の端縁凸部１５の中央部に形成された挿入孔１５ｂから露出し、その露出部にスリット１３ａを有する。ロックコネクタ１０の先端部１ｂは、挿入孔１５ａを通ってセプタム１３のスリット１３ａを貫通することが可能であり、それにより液体流路が連通する。
【００３３】
ポート本体１２の先端外周面には係止凸部１２ｂが形成され、ポートキャップ１４に形成された係止凹部１４ａと係合している。それにより、ポート本体１２に対してポートキャップ１４が保持されている。ポート本体１２の基端側は先端側よりも大きな径を有し、先端側と基端側の境界部に鍔部１６が形成されている。ポート本体１２の基端側は、医療用容器などに取り付けられる。
【００３４】
ポートキャップ１４の外周面には、２つの環状凸部が設けられ、それにより、それぞれ第１段差部１７ａおよび第２段差部１７ｂが形成されている。それらの第１、第２段差部１７ａ、１７ｂには、ロックコネクタ１０の係止片６ａに形成された係止爪７が係合可能である。係止爪７が第１段差部１７ａに係合した状態では、ロックコネクタ１０と接続ポート１１が浅く結合し、ロックコネクタ１０の先端部１ｂが接続ポートのセプタム１３を貫通していない状態が保持される。係止爪７が第２段差部１７ｂに係合した状態では、ロックコネクタ１０と接続ポート１１が深く結合し、ロックコネクタ１０の先端部１ｂがセプタム１３を貫通した状態が保持される。
【００３５】
以上のように構成されたロックコネクタ装置の動作について説明する。ロックコネクタ１０と接続ポート１１を接続する際には、各々の先端を対向させて、接続ポート１１のポートキャップ１４をロックコネクタ１０のフード２内に挿入する。それにより、ロックコネクタ１０の管体部１の先端部１ｂが、接続ポート１１の挿入孔１５ａを通ってセプタム１３に当接する。そして、図８Ａ、８Ｂに示すように、ロックコネクタ１０の係止爪７が接続ポート１１の第１段差部１７ａに係合する。この第１の接続状態では、ロックコネクタ１０の先端部１ｂが接続ポートのセプタム１３を貫通しない状態で、接続ポート１１に対するロックコネクタ１０の連結が保持される。従って、ロックコネクタ１０の流路と接続ポート１１の流路は連通していない状態である。
【００３６】
この状態から、図９Ａ、９Ｂに示すように、ロックコネクタ１０と接続ポート１１の結合を深くして、ロックレバー１０の係止爪７を第２段差部１７ｂに係合させることができる。この第２の接続状態では、ロックコネクタ１０の先端部１ｂがセプタム１３を貫通した状態で、接続ポート１１に対するロックコネクタ１０の連結が保持される。従って、ロックコネクタ１０の流路と接続ポート１１の流路が連通した状態が得られる。
【００３７】
接続ポート１１に対するロックコネクタ１０の接続を解除するためには、図１０Ａ、１０Ｂに示すように、ロックコネクタ１０の操作片６ｂに対して、管体部１に接近する向きの押圧力を加える。それにより、支持片４ａ、４ｂ、５ａ、５ｂが弾性変形して、一対の係止爪７はその相互の間隔が広がる。その結果、第１段差部１７ａまたは第２段差部１７ｂに対する係止爪７の係合が解除される。
【００３８】
以上の構成および動作によれば、図８Ａ、８Ｂに示した第１の接続状態では、接続ポート１１に対するロックコネクタ１０の連結が保持されるが、ロックコネクタ１０の先端部１ｂが接続ポートのセプタム１３を貫通していない状態であるため、長期に亘って保管しても、セプタムの永久歪を発生させることが回避される。
【００３９】
なお第１の接続状態において、ロックコネクタ１０の管体部１の先端部が接続ポート１１のセプタム１３に当接し、その押圧力によりスリット１３ａが一部開口するように構成してもよい。それにより、第１の接続状態において滅菌ガスを環流ことが可能になる。
【００４０】
図８Ａ、８Ｂに示した第１の接続状態が確実に保持されるように、ロックコネクタ１０の係止爪７が接続ポート１１の第１段差部１７ａに係合した状態から、結合がより深くならないように位置規制するための構成を、図１１Ａ、１１Ｂに示す。すなわち、接続ポート１１は、第２段差部１７ｂよりも基端側に鍔部１６を有し、ロックコネクタ１０の外縁部先端、図の構造であればフード２の先端と対向して位置規制段差部として機能する。係止爪７が第１段差部１７ａに係合した状態で、フード２の先端と鍔部１６の間に、位置規制片としてリング状ストッパー１８が装着される。リング状ストッパー１８は、例えば図１２に示す形状を有する。リング状ストッパー１８は、リング形状の一部に切り欠き１８ａを有し、切り欠き１８ａを通して接続ポート１１に装着される。リング状ストッパー１８には、操作の便宜のために、つまみ環１９が取り付けられている。リング状ストッパー１８で位置規制されることにより、ロックコネクタ１０の先端部１ｂが接続ポートのセプタム１３を貫通しない状態で、接続ポート１１とロックコネクタ１０を連結した状態が保持される。しかも、その状態では、図９Ａ、９Ｂに示したようにロックコネクタ１０の流路と接続ポート１１の流路を連通させるための相互の位置決めがされているので、流路を連通させるための操作が極めて容易である。
【００４１】
本実施の形態の構成および動作によれば、ロックコネクタ１０と接続ポート１１とを第１の接続状態で接続させた態様で供することが可能であり、使用に際して両者を接続する操作を省略できると同時に、両接続部の接触などによるコネクタ内腔の汚染を防止することができる。更に、接続に際しては、接続ポート１１に対してロックコネクタ１０を押し付けるだけでよく、操作がきわめて簡易である。接続を解除する際には、操作片６ｂを指で挟みつけるだけでよい。また、ロックレバー６はフード２とは独立しており、支持片４ａ、４ｂ、５ａ、５ｂにのみ支持されている。従って、係止片６ａの先端の係止爪７を変位させるための、可撓的な変形の量を多くとることが容易である。その結果、第１および第２段差部１７ａ、１７ｂとの係合のための変形量を十分に確保して、確実な係合を得ることが可能である。
【００４２】
しかも、係止片６ａはフード２に完全に包囲され、また、外表面がフード２の外表面と略面一であるため、係止片６ａの先端が不慮の接触により変形させられる可能性が低くなる。従って、係合が外れる事故の発生が軽減される。また、管体部１の先端部１ｂがフード２内に収容された構造であるため、先端部１ｂを接触による汚染から保護することができ、輸液との接触部を清潔に保つことができる。
【００４３】
なお本発明の流路連通用ロックコネクタ装置は、医療用容器の接続ポートとの接続以外にも、スリット入りのセプタムを備えた混注ポートとの接続に適用可能である。
【００４４】
上記の実施の形態では、スリット入りの隔壁を有する接続ポートとの接続を前提とした流路連通用ロックコネクタについて示した。この構造は、誤穿刺防止のために鋭利な先端を持たない挿入端構造を用いる場合に、穿刺時の操作性を良くする効果において、特に優位性を発揮する。一方、本発明の流路連通用ロックコネクタ装置の構造は、隔壁にスリットが設けられていない構造を採用する場合にも適用可能である。その場合は、隔壁を薄くして破断し易くしたり、あるいは管体部１の先端部１ｂを鋭利な形状にすればよい。
【産業上の利用可能性】
【００４５】
本発明の流路連通用ロックコネクタ装置によれば、セプタム付の接続ポートの採用によりコネクタ装置の着脱を簡単に行うことができ、しかも、接続状態での保管中にセプタムの永久歪が発生することを回避して、セプタムの気密を保持することができるので、医療用容器に対する接続用コネクタとして有用である。
【図面の簡単な説明】
【００４６】
【図１】本発明の実施の形態における流路連通用ロックコネクタ装置を構成するロックコネクタを示す側面図
【図２】同ロックコネクタの断面図
【図３】同ロックコネクタの平面図
【図４】同ロックコネクタの正面図
【図５】本発明の実施の形態における流路連通用ロックコネクタ装置を構成する接続ポートの側面図
【図６】同接続ポートの断面図
【図７】同接続ポートの正面図
【図８Ａ】本発明の実施の形態における流路連通用ロックコネクタ装置の動作を示す側面図
【図８Ｂ】同断面図
【図９Ａ】同流路連通用ロックコネクタ装置の他の動作を示す側面図
【図９Ｂ】同断面図
【図１０Ａ】同流路連通用ロックコネクタ装置の接続を解除する動作を示す側面図
【図１０Ｂ】同断面図
【図１１Ａ】同流路連通用ロックコネクタ装置の他の使用形態を示す側面図
【図１１Ｂ】同断面図
【図１２】同他の使用形態に用いられるリング状ストッパーを示す斜視図
【符号の説明】
【００４７】
１  管体部
１ａ  基端部
１ｂ  先端部
２  フード
２ａ  切り欠き部
３  結合部
４ａ、４ｂ、５ａ、５ｂ  支持片
６  ロックレバー
６ａ  係止片
６ｂ  操作片
７  係止爪
８  位置決め部
９  ストッパー部
１０  ロックコネクタ
１１  接続ポート
１２  ポート本体
１２ａ  突起
１２ｂ  係止凸部
１３  セプタム（隔壁部材）
１３ａ  スリット
１４  ポートキャップ
１４ａ  係止凹部
１５  端縁凸部
１５ａ  突起
１５ｂ  挿入孔
１６  鍔部
１７ａ  第１段差部
１７ｂ  第２段差部
１８  切り欠き
１９  つまみ環
【図１】
2006141714.tif 000003
【図２】
2006141714.tif 000004
【図３】
2006141714.tif 000005
【図４】
2006141714.tif 000006
【図５】
2006141714.tif 000007
【図６】
2006141714.tif 000008
【図７】
2006141714.tif 000009
【図８Ａ】
2006141714.tif 000010
【図８Ｂ】
2006141714.tif 000011
【図９Ａ】
2006141714.tif 000012
【図９Ｂ】
2006141714.tif 000013
【図１０Ａ】
2006141714.tif 000014
【図１０Ｂ】
2006141714.tif 000015
【図１１Ａ】
2006141714.tif 000016
【図１１Ｂ】
2006141714.tif 000017
【図１２】
2006141714.tif 000018